(57)【特許請求の範囲】
【請求項１】
鍵の挿入により解錠動作して外筒内で回動可能となる内筒と、内筒の後端面に前後に重なった状態の２枚の基板により起立姿勢で保持される駆動板とを含むシリンダ錠の錠機構であって、前記駆動板には一対の脚部が設けられ、前記２枚の基板のうち前側の基板は貫通孔を有し、前記貫通孔の孔周縁には、それぞれ中心に対して対角位置に一対の第１の係合孔部と一対の第２の係合孔部とが、互いに直交する角度位置に形成されるとともに、第１の係合孔部と第２の係合孔部とのいずれか一方に駆動板の各脚部をそれぞれ係合させるようになっており、２枚の基板のうちの後側の基板は、前側の基板の第１の係合孔部に対応する位置に、各係合孔部に係合した駆動板の各脚部を抜け止め状態で保持するための第１の保持板面を備え、前側の基板の第２の係合孔部に対応する位置に、各係合孔部に係合した駆動板の各脚部を抜け止め状態で保持するための第２の保持板面を備えて成るシリンダ錠の錠機構。
【請求項２】
請求項１に記載された錠機構の内筒が外筒内に回動可能に嵌挿されて成るシリンダ錠。
【発明の詳細な説明】
【０００１】
【発明の属する技術分野】
この発明は、扉などの錠装置に用いられるシリンダ錠に関し、特にこの発明は、シリンダ錠を構成する取り替え可能な一部品としての錠機構と、その錠機構を含むシリンダ錠とに関する。
【０００２】
【従来の技術】
一般に、玄関扉などの錠装置には図１５に示すようなシリンダ錠が用いられている。このシリンダ錠は、複数のディスク１０４を内蔵する内筒１０３が外筒１０２内に嵌挿されて成る。内筒１０２の鍵孔へ鍵を挿入すると、各ディスク１０４が引っ込んで内筒１０３と外筒１０２との係わりが切れ、内筒１０３は回動自由となる。内筒１０３は連結部材１５０およびデッドボルト１５２を介して掛け金具（図示せず。）に連繋されている。鍵を解錠位置から施錠方向へ回して内筒１０３を一体回動させると、掛け金具が扉枠の係止孔へ突出して扉は施錠状態となる。鍵を施錠位置から解錠方向へ回して内筒１０３を一体回動させると、掛け金具が扉枠の係止孔より脱出し、扉は解錠状態となる。
【０００３】
近年、シリンダ錠の鍵孔より内筒１０３の内部に細長い棒状工具を挿入するなどして、シリンダ錠を不正に解錠するという事件が多発している。この不正解錠操作は、一般に「ピッキング」と呼ばれる。錠装置のメーカーでは、「ピッキング」に強いシリンダ錠を開発し、不正解錠の防止に努めている。既設のシリンダ錠を「ピッキング」に強いシリンダ錠に取り替える場合、外筒１０２の外形や大きさなどが既設のものと相違すると、取り替えが困難である。そこで、錠装置のメーカでは、外筒１０２や掛け金具などの周辺の機構はそのまま残し、内筒１０３を含む錠機構１００のみを取り替えるようにしている。
【０００４】
取り替えの対象となる錠機構１００には、内筒１０３と、内筒１０３の後端面に設けられた２個の突起１０５，１０５に係合させる前後２枚の基板１１０，１２０と、両基板１１０，１２０によって内筒１０３の後端面に起立姿勢で保持される駆動板１３０とが含まれる。駆動板１３０は、円筒状の連結部材１５０を介して前記デッドボルト１５２に連結されるもので、鍵操作で内筒１０３が回動すると、デッドボルト１５２が回動し、掛け金具が扉枠の係止孔に対して突出または引込み動作する。
【０００５】
前記連結部材１５０は、矩形状の連結孔１５１を有し、この連結孔１５１に駆動板１３０が係合する。
いま、錠機構１００を取り替えた場合において、例えば、扉が解錠状態であるときに、駆動板１３０が横向きであるのに対し、連結部材１５０の連結孔１５１も横向きであれば、取り替えた錠機構１００と連結部材１５０とは適合する。
【０００６】
【発明が解決しようとする課題】
しかしながら、メーカの違いや扉への錠装置の取付構造によっては、図１６に示すように、取り替えた錠機構１００の駆動板１３０が横向きであるのに対し、連結部材１５０の連結孔１５１が縦向きであるような場合が存在し、このような場合は、錠機構１００と連結部材１５０とは適合しておらず、錠機構１００を取り替えることはできない。
【０００７】
この発明は、上記した問題に着目してなされたもので、扉が所定の状態のときに、連結部材の駆動板との連結孔が縦横いずれの方向を向くものであっても、その向きに駆動板の向きを合わせることができるシリンダ錠の錠機構と、その錠機構が用いられたシリンダ錠とを提供することを目的とする。
【０００８】
【課題を解決するための手段】
請求項１の発明によるシリンダ錠の錠機構は、鍵の挿入により解錠動作して外筒内で回動可能となる内筒と、内筒の後端面に前後に重なった状態の２枚の基板により起立姿勢で保持される駆動板とを含む。前記駆動板には一対の脚部が設けられる。前記２枚の基板のうち前側の基板は貫通孔を有し、前記貫通孔の孔周縁には、それぞれ中心に対して対角位置に一対の第１の係合孔部と一対の第２の係合孔部とが、互いに直交する角度位置に形成されるとともに、第１の係合孔部と第２の係合孔部とのいずれか一方に駆動板の各脚部をそれぞれ係合させるようになっている。２枚の基板のうちの後側の基板は、前側の基板の第１の係合孔部に対応する位置に、各係合孔部に係合した駆動板の各脚部を抜け止め状態で保持するための第１の保持板面を備え、前側の基板の第２の係合孔部に対応する位置に、各係合孔部に係合した駆動板の各脚部を抜け止め状態で保持するための第２の保持板面を備える。
【０００９】
請求項２の発明によるシリンダ錠は、上記した錠機構の内筒が外筒内に回動可能に嵌挿されて成る。
【００１０】
【作用】
前側の基板の貫通孔に形成された第１、第２の各係合孔部のうち、連結部材の連結孔の向きに応じて、一方の一対の係合孔部に駆動板の各脚部を係合させる。各脚部を後側の基板の保持板面により抜け止め状態で保持すると、内筒の後端面に、前記連結孔と同じ向きに駆動板が起立姿勢で保持される。
【００１１】
【実施例】
図１および図２は、この発明の一実施例であるシリンダ錠１の外観を、また、図３および図４は、シリンダ錠１の構造を、それぞれ示す。
図示例のシリンダ錠１は、玄関扉８に取り付けられ、鍵によるシリンダ錠１の施錠および解錠操作に作動機構７０を応動させて掛け金具７を往復動させ、扉枠に設けられた係止孔（図示せず）に係脱させる。
【００１２】
前記作動機構７０は、外筒２内に回動自由に支持される円筒形状の連結部材７１と、この連結部材７１の後端面に連結固定されたデッドボルト７３とから成る。このデッドボルト７３には前記掛け金具７が接続される。連結部材７１は、内筒１１と対向する端面に連結孔７２が開設され、その連結孔７２に駆動板５０が係合する。この実施例では、連結部材７１の連結孔７２は、鍵を回して内筒１１を回動させたとき、前記駆動板５０が連結孔７２内で所定角度だけ空転した後に一体回動するように形成されているが、図１５に示した従来例のように、駆動板の外形に対応する形状に形成してもよい。
【００１３】
シリンダ錠１は、外筒２と錠機構３とから成る。この錠機構３には、外筒２内に回動可能に嵌挿された内筒１１と、この内筒１１の後端面に前後２枚の基板３０，４０により起立姿勢で保持される駆動板５０とが含まれる。
【００１４】
外筒２は、両端が開口し、外筒２の内周面の対角位置には、内筒１１内に収容配備された複数のディスク１２と係脱するディスク係合溝２１Ａ，２１Ｂがほぼ全長にわたって形成されている。
外筒２の前面の開口部にはカバー６が被せてある。このカバー６の中央は円形の開口部６ａとなっている。この開口部６ａには、外筒２に回動自由に支持された円盤形状の前面板４が臨ませてある。前面板４には、鍵の外形に適合する形状および大きさの矩形状の鍵孔５が形成されている。
【００１５】
前記内筒１１は、前端面が開口し、その開口の後方は鍵の外形に適合する形状および大きさの貫通孔（図示せず）となっている。内筒１１の内部には、複数のディスク１２を収容するための複数のディスク収容空間１３が長さ方向へ一定間隔毎に形成されている。各ディスク収容空間１３には、ディスク１２と、ディスク１２を外筒２のディスク係合溝２１Ａ，２１Ｂの方向へ押圧するばね（図示せず。）とがそれぞれ保持されている。
【００１６】
内筒１１の後端面には２個の突起１５，１５が突設されている。各突起１５，１５には、位置決め用の基板３０の貫通孔３１と固定用の基板４０の貫通孔４１とが係合し、これにより内筒１１の後端面に２枚の基板３０，４０が前後に重なった状態で固定される。これらの基板３０，４０は、内筒１１の後端面に駆動板５０を起立姿勢で保持するためのもので、両基板３０，４０と駆動板５０とは内筒１１と一体に回動する。
なお、図中１９は、外筒２の内周面に嵌め込まれたＯリングであり、錠機構３が後方へ位置ずれするのを防止する。
【００１７】
前記駆動板５０は、図５および図６に示すように、外形が矩形状の板状部５１の下面に一対の脚部５２Ｌ，５２Ｒが一体形成されて成る。各脚部５２Ｌ，５２Ｒは、板状部５１の板面に対して直角であり、それぞれ反対方向へ突出しており、垂直板部５３Ｌ，５３Ｒと水平板部５４Ｌ，５４Ｒとを備えている。垂直板部５３Ｌ，５３Ｒは２枚の基板３０，４０を重ねた厚みより大きな高さＨを有する。水平板部５４Ｌ，５４Ｒは位置決め用の基板３０の厚みに相当する厚みｄを有する。
駆動板５０の各脚部５２Ｌ，５２Ｒが２枚の基板３０，４０により保持されたとき、板状部５０は起立姿勢となり、連結部材７１の連結孔７２と係合する。
【００１８】
図７は、位置決め用の基板３０の構成を示す。この位置決め用の基板３０は、内筒１１の後端面と同形状の外形を有する円板であり、板面の中央には貫通孔３１が開設されている。この貫通孔３１の孔周縁に沿って、内筒１１の２個の突起１５，１５が係合する突起係合部３５，３５と、一対の第１の係合孔部３２Ａ，３２Ａと、一対の第２の係合孔部３２Ｂ，３２Ｂとが形成されている。一対の第１の係合孔部３２Ａと一対の第２の係合孔部３２Ｂとの一方に駆動板５０の各水平板部５４Ｌ，５４Ｒがそれぞれ係合する。各突起係合部３５，３５、第１の係合孔部３２Ａ，３２Ａ、および第２の係合孔部３２Ｂ，３２Ｂは、それぞれ中心に対して対角位置に形成されるとともに、第１の係合孔部３２Ａ，３２Ａと第２の係合孔部３２Ｂ，３２Ｂとは互いに直交する角度位置に形成される。
【００１９】
図８は、固定用の基板４０の構成を示す。この固定用の基板４０も、内筒１１の後端面と同形状の外形を有する円板であり、板面の中央には貫通孔４１が開設されている。この貫通孔４１の孔周縁には、内筒１１の２個の突起１５，１５が係合する突起係合部４５，４５が、また、突起係合部４５，４５と直交する角度位置には大径部４４，４４が、それぞれ中心に対して対角位置に形成されている。
【００２０】
各突起係合部４５，４５の開口幅Ｄ１および長さＬ１と大径部４４，４４の開口幅Ｄ２および長さＬ２とは、駆動板５０の板状部５１の幅ｘおよび長さｙより大きいので、駆動板５０の板状部５１が突起係合部４５の方向を向くときも大径部４４の方向を向くときも、板状部５１は基板４０の貫通孔４１に対して挿脱可能である。
【００２１】
また、固定用の基板４０は、位置決め用の基板３０の第１の係合孔部３２Ａ，３２Ａに対応する位置に、各係合孔部３２Ａ，３２Ａに係合した駆動板５０の各水平板部５４Ｌ，５４Ｒを抜け止め状態で保持するための第１の保持板面４２Ａ，４２Ａを備えている。同様に、位置決め用の基板３０の第２の係合孔部３２Ｂ，３２Ｂに対応する位置に、各係合孔部３２Ｂ，３２Ｂに係合した駆動板５０の各水平板部５４Ｌ，５４Ｒを抜け止め状態で保持するための第２の保持板面４２Ｂ，４２Ｂを備えている。
【００２２】
図９は、位置決め用の基板３０と駆動板５０の脚部５２Ｌ，５２Ｒとの係わりを示す。基板３０は、貫通孔３１の突起係合部３５，３５に内筒１１の各突起１５，１５が係合して、内筒１１の後端面に固定されている。
駆動板５０の脚部５２Ｌ，５２Ｒは、水平板部５４Ｌ，５４Ｒが第１の係合孔部３２Ａ，３２Ａに係合して位置決めされている。この状態で垂直板部５３Ｌ，５３Ｒは基板３０の貫通孔３１を貫通し、板状部５１は基板３０の後方へ突出する。板状部５１は突起１５，１５を結ぶ線ｓに対して直角方向を向いている。
【００２３】
図１０は、固定用の基板４０と駆動板５０の脚部５２Ｌ，５２Ｒとの係わりを示す。基板４０は、貫通孔４１の突起係合部４５，４５に内筒１１の各突起１５，１５が係合して、位置決め用の基板３０上に重なった状態で固定されている。
駆動板５０の脚部５２Ｌ，５２Ｒの垂直板部５３Ｌ，５３Ｒは基板４０の貫通孔４１を貫通し、板状部５１は基板４０の後方へ突出する。脚部５２Ｌ，５２Ｒの水平板部５４Ｌ，５４Ｒ上には基板４０の第１の保持板面４２Ａ，４２Ａが被さり、脚部５２Ｌ，５２Ｒを抜け止め状態に保持している。
【００２４】
図１１は、駆動板５０の板状部５１と連結部材７１の連結孔７２との係わりを示す。
この実施例では、連結部材７１の連結孔７２は、施錠または解錠の各操作時に鍵を回したとき、当初の９０度だけ駆動板５０が空転した後に連結部材７１が駆動板５０と一体に回動するように構成されている。すなわち、連結孔７２の直径は駆動板５０の板状部５１の長さｙに対応させ、前記空転の角度範囲（この実施例では９０度）の両端位置に、板状部５１の側面が突き当たる第１、第２の壁面７２ａ，７２ｂが形成してある。
【００２５】
同図は、シリンダ錠１の内筒１１が解錠位置にあるときの駆動板５０の角度位置を示しており、駆動板５０の板状部５１は第１の壁面７２ａ，７２ａと接した状態にある。施錠操作により駆動板５０は図中、Ｐ方向へ回動するが、まず９０度だけ空転した後に第２の壁面７２ｂ，７２ｂに突き当たり、それ以後は連結部材７１を一体回動させる。
同様に、シリンダ錠１の内筒１１が施錠位置にあるときは、駆動板５０の板状部５１は第２の壁面７２ｂ，７２ｂと接した状態にあり、施錠操作により駆動板５０が図中、Ｑ方向へ回動するとき、まず９０度だけ空転した後に第１の壁面７２ａ，７２ａに突き当たり、それ以後は連結部材７１を一体回動させる。
【００２６】
錠機構３を取り替える場合に、掛け金具が外れた扉の解錠状態において、連結部材７１の連結孔７２の向きが図１１のようになっていれば、駆動板５０の板状部５１が連結孔７２の第１の壁面７２ａ，７２ａに接するように、駆動板５０の脚部５２Ｌ，５２Ｒを位置決め用の基板３０に図９のように係合させ、固定用の基板４０により図１０のように抜け止め状態で保持する。
【００２７】
錠機構３を取り替える場合に、掛け金具が外れた扉の解錠状態において、もし、連結部材７１の連結孔７２の向きが図１２のようになっていれば、駆動板５０の板状部５１が連結孔７２の第１の壁面７２ａ，７２ａに接するように、駆動板５０の脚部５２Ｌ，５２Ｒを位置決め用の基板３０に図１３のように係合させ、固定用の基板４０により図１４のように抜け止め状態で保持する。
【００２８】
図１３に示す状態では、駆動板５０の脚部５２Ｌ，５２Ｒは、水平板部５４Ｌ，５４Ｒが第２の係合孔部３２Ｂ，３２Ｂに係合して位置決めされ、この状態で垂直板部５３Ｌ，５３Ｒは基板３０の貫通孔３１を貫通し、板状部５１は基板３０の後方へ突出している。このとき、板状部５１は突起１５，１５を結ぶ線ｓに沿っている。
図１４に示す状態では、駆動板５０の脚部５２Ｌ，５２Ｒの垂直板部５３Ｌ，５３Ｒは基板４０の貫通孔４１を貫通し、板状部５１は基板４０の後方へ突出している。また、脚部５２Ｌ，５２Ｒの水平板部５４Ｌ，５４Ｒ上には基板４０の第２の保持板面４２Ｂ，４２Ｂが被さり、脚部５２Ｌ，５２Ｒを抜け止め状態で保持する。
【００２９】
シリンダ錠１の内筒１１が解錠位置にあるとき、駆動板５０の板状部５１は図１２に示すように第１の壁面７２ａ，７２ａと接した状態にある。施錠操作により駆動板５０は図中、Ｐ方向へ回動するが、まず９０度だけ空転した後に第２の壁面７２ｂ，７２ｂに突き当たり、それ以後は連結部材７１を一体回動させる。
同様に、シリンダ錠１の内筒１１が施錠位置にあるときは、駆動板５０の板状部５１は第２の壁面７２ｂ，７２ｂと接した状態にあり、施錠操作により駆動板５０が図中、Ｑ方向へ回動するとき、まず９０度だけ空転した後に第１の壁面７２ａ，７２ａに突き当たり、それ以後は連結部材７１を一体回動させる。
【００３０】
上記した構成のシリンダ錠１の鍵孔に鍵を挿入すると、内筒１１内に各ディスク１２が引っ込んで内筒１１は回動可能となる。鍵を解錠位置から施錠方向へ回すと、内筒１１が回動し、駆動板５０の板状部５１が連結孔７２内で空転する。駆動板５０が９０度空転した後、前記板状部５１は第２の壁面７２ｂ，７２ｂに突き当たる。さらに鍵を回すと第２の壁面７２ｂ，７２ｂを押圧して連結部材７１を一体に回動させる。これにより、掛け金具は扉枠の係止孔へ突出し、扉は施錠状態となる。
【００３１】
扉が施錠状態のとき、シリンダ錠１の鍵孔に鍵を挿入すると、内筒１１内に各ディスク１２が引っ込んで内筒１１は回動可能となる。鍵を施錠位置から解錠方向へ回すと、内筒１１が回動し、駆動板５０の板状部５１が連結孔７２内で空転する。駆動板５０が９０度空転した後、前記板状部５１は第１の壁面７２ａ，７２ａに突き当たる。さらに鍵を回すと第１の壁面７２ａ，７２ａを押圧して連結部材７１を一体に回動させる。これにより、掛け金具は扉枠の係止孔より引っ込み、扉は解錠状態となる。
【００３２】
【発明の効果】
この発明によれば、メーカの違いや扉への錠装置の取付構造によって、扉が所定の状態のときに、連結部材の駆動板との連結孔が縦横いずれの方向を向くものであっても、その向きに駆動板の向きを合わせることができ、既設のシリンダ錠の錠機構の取り替えに支障が生じない。
【図面の簡単な説明】
【図１】この発明の一実施例であるシリンダ錠の外観を示す正面図である。
【図２】この発明の一実施例であるシリンダ錠の外観を示す側面図である。
【図３】図１のＡ−Ａ線に沿う断面図である。
【図４】図１のＢ−Ｂ線に沿う断面図である。
【図５】駆動板の外観を示す斜視図である。
【図６】駆動板の外観を示す側面図である。
【図７】位置決め用の基板の外観を示す平面図である。
【図８】固定用の基板の外観を示す平面図である。
【図９】位置決め用の基板と駆動板の脚部との関わり状態を示す平面図である。
【図１０】固定用の基板と駆動板の脚部との関わり状態を示す平面図である。
【図１１】駆動板と連結部材との関わり状態を示す平面図である。
【図１２】駆動板と連結部材との関わり状態を示す平面図である。
【図１３】位置決め用の基板と駆動板の脚部との関わり状態を示す平面図である。
【図１４】固定用の基板と駆動板の脚部との関わり状態を示す平面図である。
【図１５】連結部材に適合している錠機構の外観を示す分解斜視図である。
【図１６】連結部材に適合していない錠機構を示す分解斜視図である。
【符号の説明】
１    シリンダ錠
２    外筒
３    錠機構
３０  位置決め用の基板
３１  貫通孔
３２Ａ，３２Ａ  第１の係合孔部
３２Ｂ，３２Ｂ  第２の係合孔部
４０  固定用の基板
４１  貫通孔
４２Ａ，４２Ａ  第１の保持板面
４２Ｂ，４２Ｂ  第２の保持板面
５０  駆動板
５２Ｌ，５２Ｒ  脚部
【図１】
0003548541.tif 000002
【図２】
0003548541.tif 000003
【図３】
0003548541.tif 000004
【図４】
0003548541.tif 000005
【図５】
0003548541.tif 000006
【図６】
0003548541.tif 000007
【図７】
0003548541.tif 000008
【図８】
0003548541.tif 000009
【図９】
0003548541.tif 000010
【図１０】
0003548541.tif 000011
【図１１】
0003548541.tif 000012
【図１２】
0003548541.tif 000013
【図１３】
0003548541.tif 000014
【図１４】
0003548541.tif 000015
【図１５】
0003548541.tif 000016
【図１６】
0003548541.tif 000017